(57)【要約】【課題】  各種の一般的な通信形式を用いることができ、かつ、制御範囲を拡張させることができる表示装置を提供することにある。【解決手段】  ＰＤＰ１０は、入力されたコンテンツデータを表示するＰＤＰ本体部１００と、外部と通信を行い、ＰＤＰ本体部１００を制御するとともに、ＰＤＰ本体部１００に着脱自在に装着されている通信制御Ｉ／Ｆ２００と、外部からコンテンツデータが入力され、当該入力されたコンテンツデータをＰＤＰ１０に出力するとともに、ＰＤＰ本体部１００に着脱自在に装着されているビデオＩ／Ｆ３００と、を備え、通信制御Ｉ／Ｆ２００によって外部より取得された制御データに基づいてシステム制御部１１２を作動させるとともに、当該システム制御部１１２を作動させることによって表示信号生成部１０５を制御し、表示部１０３およびスピーカ１０８にコンテンツデータを出力する。【選択図】  図１
2005195729.tif 000002
【特許請求の範囲】
【請求項１】
画像データを少なくとも含む所定のコンテンツデータを表示する表示パネルを駆動制御する駆動制御装置であって、
前記コンテンツデータが入力される入力インターフェースと、
前記入力されたコンテンツデータの画像処理または前記入力されたコンテンツデータに基づく前記表示パネルの駆動処理の少なくとも何れか一方を行う画像処理手段と、
前記画像処理手段を制御する制御手段と、
当該駆動制御装置に着脱自在に装着され、前記画像処理手段を制御するための制御データを外部から取得する制御インターフェースと、
を備え、
前記制御インターフェースが、前記外部より取得された制御データに基づいて前記制御手段を作動させる作動手段を有し、当該制御手段を作動させることによって前記画像処理手段を制御することを特徴とする表示パネルの駆動制御装置。
【請求項２】
請求項１に記載の表示パネルの駆動制御装置において、
前記制御インターフェースが、前記制御データを取得する際に、前記外部と通信を行う通信手段を更に有することを特徴とする表示パネルの駆動制御装置。
【請求項３】
請求項１または２に記載の表示パネルの駆動制御装置において、
前記制御インターフェースが、
前記制御データを第１制御データとして外部から取得する取得手段と、
前記取得された第１制御データを前記第１制御データとは異なるデータ形式を有する第２制御データに変換する変換手段と、
を更に有し、
前記作動手段が、変換された第２制御データを前記制御手段に出力することによって前記制御手段を作動させることを特徴とする表示パネルの駆動制御装置。
【請求項４】
請求項１乃至３の何れか一項に記載の表示パネルの駆動制御装置において、
前記画像処理手段を操作するために用いられる操作手段を更に備えるとともに、前記制御インターフェースが、前記操作手段からの操作指示を受信する受信手段を更に有し、
前記作動手段が、前記受信された操作指示および前記外部から取得した制御データに基づいて前記制御手段を作動させることを特徴とする表示パネルの駆動制御装置。
【請求項５】
請求項１乃至４の何れ一項に記載の表示パネルの駆動制御装置において、
前記外部より電源の供給を受ける電源ユニットを有し、
前記制御インターフェースが、当該駆動制御装置に装着された際に、前記駆動制御装置より電源の供給を受けることを特徴とする表示パネルの駆動制御装置。
【請求項６】
請求項１乃至５の何れ一項に記載の表示パネルの駆動制御装置において、
前記制御インターフェースが装着された際に当該制御インターフェースの装着を認識する認識手段と、
前記認識手段の認識結果に基づいて、前記外部より取得された制御データに基づく前記制御手段の作動の可否を判断する判断手段と、
を更に備えることを特徴とする表示パネルの駆動制御装置。
【請求項７】
請求項１乃至６の何れ一項に記載の表示パネルの駆動制御装置において、
前記入力インターフェースが、
当該駆動制御装置に着脱自在に装着されるとともに、
当該入力インターフェースに入力された前記コンテンツデータに基づいて前記制御データを生成する生成手段と、
前記生成手段によって生成された制御データを前記作動手段に出力する出力手段と、
を有し、
前記作動手段が、前記生成出力手段によって生成された制御データに基づいて前記制御手段を作動させることを特徴とする表示パネルの駆動制御装置。
【請求項８】
請求項７に記載の表示パネルの駆動制御装置において、
前記入力インターフェースが、前記入力されたコンテンツデータに基づいて前記表示パネルを駆動するための前記制御データの送受信を、前記制御インターフェースを介して前記外部と実行する送受信手段を更に有することを特徴とする表示パネルの駆動制御装置。
【請求項９】
請求項１乃至６の何れ一項に記載の表示パネルの駆動制御装置において、
前記入力インターフェースに入力されるコンテンツデータが音声データを含む場合に
入力されたコンテンツデータの音声データに音声処理を行う音声処理手段を有し、
前記制御手段が前記音声処理手段を制御するとともに、前記制御インターフェースが、前記音声処理手段を制御するための制御データを外部から取得することを特徴とする表示パネルの駆動制御装置。
【発明の詳細な説明】
【技術分野】
【０００１】
本願は、プラズマディスプレイパネルなどの表示装置における入力インターフェースに関する技術分野に属する。
【背景技術】
【０００２】
近年、表示装置の大型化に伴って薄型ものが要求され、各種の薄型表示デバイスが実用化されている。特に、最近では、ＣＲＴ（Cathode-Ray Tube）や液晶ディスプレイなどの他に、プラズマディスプレイパネル（以下、「ＰＤＰ（Plasma Display Panel）」という。）という放電型のディスプレイも実用化され始めている。
【０００３】
従来、これらの表示装置では、入力切換や画質の調性など外部からの外部制御を行う場合には、特定の通信形式を用いて、パーソナルコンピュータや専用の制御装置によって外部制御を行うようになっている。
【０００４】
また、従来、表示装置における画質調性を行う制御方法としては、画像信号を用いるアプリケーションプログラムに所定のパラメータを予め対応付けるとともに、当該パラメータに基づいて画質を自動的に切り換え、表示する画像信号に応じて適切な画質に切り換えるものが知られている（例えば、特許文献１を参照）。
【特許文献１】特開２００２−３４１８４３号公報
【発明の開示】
【発明が解決しようとする課題】
【０００５】
しかしながら、上述のような外部制御を行う表示装置にあっては、制御信号を送受信する通信形式が特定のものに限られていたため、電源の投入または遮断、および、入力信号の切り換えなど制御範囲が限られている。
【０００６】
また、アプリケーションプログラムに対応付ける制御方法にあっては、制御方法は容易になるが、その他の制御、例えば、入力切り換え制御、または、電源の投入および遮断の制御に対応させることは難しい。
【０００７】
本発明は、上記に鑑みて為されたもので、その課題の一例としては、各種の一般的な通信形式を用いることができ、かつ、制御範囲を拡張させることができる表示装置を提供することにある。
【課題を解決するための手段】
【０００８】
上記の課題を解決するために、請求項１に記載の発明は、画像のデータを少なくとも含む所定のコンテンツデータを表示する表示パネルを駆動制御する駆動制御装置であって、前記コンテンツデータが入力される入力インターフェースと、前記入力されたコンテンツデータの画像処理または前記入力されたコンテンツデータに基づく前記表示パネルの駆動処理の少なくとも何れか一方を行う画像処理手段と、前記画像処理手段を制御する制御手段と、当該駆動制御装置に着脱自在に装着され、前記画像処理手段を制御するための制御データを外部から取得する制御インターフェースと、を備え、前記制御インターフェースが装着された場合に、前記制御インターフェースが、前記外部より取得された制御データに基づいて前記制御手段を作動させる作動手段を有し、当該制御手段を作動させることによって前記画像処理手段を制御する構成を有している。
【発明を実施するための最良の形態】
【０００９】
次に、本発明に好適な実施の形態について、図面に基づいて説明する。
【００１０】
なお、以下に説明する各実施形態は、放電型の表示パネルであるＰＤＰに対して本願の駆動制御装置を適用した場合の実施形態である。また、以下の実施形態では、ＰＤＰを外部制御する外部制御装置としてパーソナルコンピュータを用いて説明する。さらに、以下の説明で用いられるコンテンツデータには、動画像データ、静止画像データ、音声データおよびそれらの組み合わせのデータが含まれるものとする。
【００１１】
まず、図１および図２を用いて本実施形態におけるＰＤＰの構成について説明する。なお、図１は、本実施形態におけるＰＤＰのシステム構成を示すブロック図であり、図２は、本実施形態のＰＤＰ本体部に装着される通信制御インターフェースおよびビデオインターフェースの形状を説明するための図である。
【００１２】
ＰＤＰ１０は、図１に示すように、入力されたコンテンツデータを表示するＰＤＰ本体部１００と、パーソナルコンピュータ５０などの外部制御装置と通信を行い、ＰＤＰ本体部１００を制御する通信制御インターフェース（以下、通信制御Ｉ／Ｆという。）２００と、外部からコンテンツデータが入力され、当該入力されたコンテンツデータをＰＤＰ１０に出力するビデオインターフェース（ビデオＩ／Ｆという。）３００と、から構成される。
【００１３】
なお、例えば、本実施形態の通信制御Ｉ／Ｆ２００は、本発明の制御インターフェースを構成するとともに、本発明の作動手段、取得手段、変換手段、および、受信手段を構成する。また、例えば、本実施形態のビデオＩ／Ｆ３００は、本発明の入力インターフェースを構成するとともに、本発明の生成手段、出力手段および送受信手段を構成する。
【００１４】
本実施形態のＰＤＰ１０は、ＰＤＰ本体部１００に、通信制御Ｉ／Ｆ２００を着脱自在に装着するためのスロット部（以下、通信スロット部という）２０１と、ビデオＩ／Ｆ３００を着脱自在に装着するためのスロット部（以下、ビデオスロット部という。）３０１が設けられており、通信制御Ｉ／Ｆ２００およびビデオＩ／Ｆ３００は、カード形状の構造を有している。
【００１５】
なお、例えば、通信制御Ｉ／Ｆ２００およびビデオＩ／Ｆ３００は、図２（ａ）または（ｂ）に示すような１２０ピンまたは１８４ピンの接続ポートからなる接続部を有するカード形状を有している。
【００１６】
本実施形態のＰＤＰ本体部１００は、図１に示すように、映像信号および音声信号の各種の入力端子を有するとともに、ビデオＩ／Ｆ３００とバス６０を介して接続され、コンテンツデータが入力される入力処理部１０１と、入力されたコンテンツデータの画像データにおける画像処理を行う画像処理部１０２と、複数の画素がマトリクス上に配され、入力されたコンテンツデータを表示する表示部１０３と、画像処理された画像データに基づいて表示部１０３の駆動制御を行う駆動制御部１０４と、コンテンツデータに基づいて表示データを生成する表示信号生成部１０５と、表示データを表示部１０３に表示させる際に用いられるフレームメモリ１０６と、入力されたコンテンツデータの音声データにおける音声処理を行う音声処理部１０７と、音声処理された音声信号を拡声するスピーカ１０８と、通信スロット部２０１に装着された通信制御Ｉ／Ｆ２００を認識するスロット認識部１０９と、コンテンツデータの表示に関して所定の操作を行うための操作入力部１１０と、外部より所定の電源の供給を受けるための電源ユニット１１１と、操作部の操作に基づいてまたは通信制御Ｉ／Ｆ２００からの制御指示データに基づいて各部を制御するシステム制御部１１２と、を備え、各部はバス６０により接続されている。
【００１７】
なお、例えば、本実施形態の画像処理部１０２および表示信号生成部１０５は、本発明の画像処理手段を構成し、音声処理部１０７は、本発明の音声処理手段を構成する。また、例えば、本実施形態のスロット認識部１０９は、本発明の認識手段を構成し、操作入力部１１０は、本発明の操作手段を構成する。さらに、例えば、本実施形態の電源ユニット１１１は、本発明の電源ユニット１１１を構成し、システム制御部１１２は、本発明の判断手段および制御手段を構成する。
【００１８】
入力処理部１０１は、ビデオＩ／Ｆ３００を介して入力された、または、入力端子から入力されたコンテンツデータの入力の切り換えを行うとともに、所定の信号形式を有するコンテンツデータのデコードまたは他のデータ形式にエンコードするようになっている。
【００１９】
具体的には、入力処理部１０１は、システム制御部１１２の制御に基づいて入力されたコンテンツデータの入力の切り換えを行うとともに、アナログ信号が入力された場合にはデジタル信号に変換、暗号化されたコンテンツデータが入力された場合にはその復号化を行うようになっている。
【００２０】
また、この入力処理部１０１は、デマルチプレクサの機能を有しており、入力の選択が為されたコンテンツデータにおけるエンコードまたはデコードされた画像データを画像処理部１０２に出力するとともに、エンコードまたはデコードされた音声データを音声処理部１０７に出力するようになっている。
【００２１】
画像処理部１０２には、入力処理部１０１から出力された画像データが入力されるようになっており、この画像処理部１０２は、システム制御部１１２の制御に基づいて、入力された画像データに対して所定の画像処理を行い、画像処理された画像データを表示データ生成部に出力するようになっている。
【００２２】
例えば、本実施形態では、画像処理部１０２は、画像全体の輝度の調整（コントラスト）、明るさの調整（ブライトネス）などのγ補正、階調補正を含む画質調整、解像度、輪郭補正、ホワイトバランス、画面表示サイズの設定、動画像データの一時停止を含む表示画像制御、所定の画像データを入力された画像データに重畳する処理（ＯＳＤ：On Screen Display）の各種の画像処理を行うようになっている。
【００２３】
なお、本実施形態において、画像処理部１０２の画像処理内容は、上記に限らず、また、複数の画像処理内容を組み合わせて一度に処理するようにしてもよい。
【００２４】
表示部１０３は、画像データを表示するための表示パネルと、当該表示パネルを駆動させるための各ドライバを有している。この表示パネルには、複数の列電極と、これらの列電極に直交して配列されて、かつ、一対にて一走査ラインを形成する複数の行電極とが設けられ、列電極と行電極の各交叉部にマトリクス上に画素を担う放電セルが形成されている。また、各ドライバには、列電極および各行電極をそれぞれ駆動するアドレスドライバ、ＸサステインドライバおよびＹサステインドライバが含まれ、これらの各ドライバは、駆動制御部１０４の制御に基づいてフレームメモリ１０６から読み出されたデータに従って各電極を駆動するようになっている。
【００２５】
駆動制御部１０４には、画像処理部１０２において所定の画像処理がなされた画像データに基づいて、表示信号生成部１０５、フレームメモリ１０６および表示部１０３を制御するようになっている。具体的には、駆動制御部１０４は、画像処理が為された画像データに基づいて、表示信号生成部１０５、表示部１０３における各ドライバおよびフレームメモリ１０６に対して同期信号を出力するとともに、走査パルスの選択的な印可、アドレスデータにおける列電極の印可、および、各セルの発光を繰り返させるサステインパルスの印可などの各ドライバにおけるパルスの印可制御を行うようになっている。
【００２６】
表示信号生成部１０５は、駆動制御部１０４から入力された制御信号に基づいて、入力された画像信号に対して、誤差拡散処理、ディザ処理などの多階調化処理を行って、例えば、４ｂｉｔに圧縮することにより表示信号を生成し、当該生成された表示信号をフレームメモリ１０６に出力するようになっている。
【００２７】
フレームメモリ１０６には、画像処理部１０２から出力された画像データおよび駆動制御部１０４から出力された同期信号が入力されるようになっており、このフレームメモリ１０６は、入力された同期信号に基づいて、入力された画像データ、すなわち、所定の画像処理がなされた画像データを表示部１０３に供給するようになっている。具体的には、フレームメモリ１０６は、入力された同期信号に基づいて、表示信号生成部１０５から入力された表示信号を一時的に格納し、当該格納された表示信号を各ドライバに出力するようになっている。
【００２８】
音声処理部１０７には、入力処理部１０１から出力された音声データが入力されるようになっており、この音声処理部１０７は、例えば、デジタル信号をアナログ信号に変換するＡ／Ｄ変換に代表されるように所定の形式の音声データをスピーカ１０８から出力可能な信号に変換するとともに、変換された音声信号または変換前の音声データに対して、音源選択、イコライザの調性および電力増幅所定の各音声処理を行うようになっており、当該音声処理された音声信号をスピーカ１０８に出力するようになっている。
【００２９】
なお、音源選択には、主音声、副音声の選択や出力言語の選択などの各種の選択が含まれる。
【００３０】
また、この音声処理部１０７は、音声データが含まれるコンテンツデータを表示部１０３に表示する際に、対応する画像データが表示部１０３に表示されるタイミングに併せて音声データから変換された音声信号をスピーカ１０８に出力するようになっている。
【００３１】
なお、スピーカ１０８は、音声出力部から出力された音声信号に基づいて外部に当該音声を拡声するようになっている。また、
スロット認識部１０９は、通信スロット部２０１における通信制御Ｉ／Ｆ２００の装着の有無およびその種別を認識するとともに、装着を認識した旨およびその種別をシステム制御部１１２に出力するようになっている。
【００３２】
具体的には、スロット認識部１０９は、ＰＤＰ本体部１００と通信制御Ｉ／Ｆ２００との接続ポートの空き、および、各接続ポートの電圧を検出し、通信制御Ｉ／Ｆ２００の装着の有無、通信制御Ｉ／Ｆ２００の種別を判断するようになっており、当該判断結果をシステム制御部１１２に出力するようになっている。
【００３３】
なお、本実施形態では、システム制御部１１２は、スロット認識部１０９において認識された通信制御Ｉ／Ｆ２００の装着の有無およびその種別に基づいて、通信制御Ｉ／Ｆ２００のＰＤＰ本体部１００における制御内容の制限を決定するようになっている。
【００３４】
操作入力部１１０は、各種確認ボタン、選択ボタン及び数字キー等の多数のキーを含むリモートコントロール装置またはキーボード等の入力装置により構成され、各ボタンを押し下げると、当該各ボタンに対応した各部を操作するための指示信号（以下、操作指示信号という。）がシステム制御部１１２に出力されるようになっている。
【００３５】
なお、例えば、本実施形態では、操作入力部１１０を用いることによって、上述したように、画像処理部１０２が行う画像処理、すなわち、画像データの入力切り換え、コントラストやブライトネスの調整などの各種の画像処理を行うことができるようになっている。
【００３６】
電源ユニット１１１は、外部より所定の電源の供給を受けるとともに、通信スロット部２０１を介して通信制御Ｉ／Ｆ２００に電源の供給を行うようになっている。例えば、電源ユニット１１１は、外部より１００Ｖ電源の供給を受けるとともに、各部が必要な電圧に変換して表示部１０３および通信制御Ｉ／Ｆ２００などの各部に電源を供給するようになっている。
【００３７】
システム制御部１１２は、主に、ＣＰＵとメモリから構成され、各部における全般的な機能を総括的に制御するようになっており、特に、本実施形態では、操作入力部１１０から出力された操作指示信号および後述する通信制御Ｉ／Ｆ２００から出力される制御データに基づいて、入力処理部１０１、画像処理部１０２、音声処理部１０７、駆動制御部１０４およびスロット認識部１０９の各部を制御するようになっている。
【００３８】
具体的には、システム制御部１１２は、入力処理部１０１を制御することによって入力されるコンテンツデータの選択を行うとともに、画像処理部１０２または音声処理部１０７を制御することによって、音声ミュート、音源選択および音量調整、または、画質調性、映像ミュート、画面サイズおよびＯＳＤを行うようになっている。
【００３９】
また、本実施形態のシステム制御部１１２には、スロット認識部１０９の判断結果が入力されるようになっており、このシステム制御部１１２は、入力された判断結果に基づいて、各部のすべての制御が可能な通信制御Ｉ／Ｆ２００か、一部に制御内容の制限を行う必要のある通信制御Ｉ／Ｆ２００かなど通信制御Ｉ／Ｆ２００の種別を判断し、当該判断された通信制御Ｉ／Ｆ２００の種別に基づいて各部を制御するようになっている。
【００４０】
例えば、本実施形態では、システム制御部１１２は、ホワイトバランス、表示パネルの電力調整など工場出荷時の検査に用いる制御を行うための通信制御Ｉ／Ｆ２００か否かを判断するようになっており、それ以外の通信制御Ｉ／Ｆ２００が認識された場合には、工場出荷時の調整用の制御内容を禁止し、当該制御内容を指示する制御データが通信制御Ｉ／Ｆ２００から出力されたとしても、当該制御内容を実行しないようになっている。
【００４１】
さらに、システム制御部１１２は、通信制御Ｉ／Ｆ２００か接続されている場合には、入力された操作指示信号に対応する制御データを通信制御Ｉ／Ｆ２００に出力するようになっており、当該操作指示信号では直接各部を制御せず、当該操作指示信号に基づく通信制御Ｉ／Ｆ２００からの制御データにより、各部の制御を行うようになっている。
【００４２】
なお、本実施形態において、システム制御部１１２と通信制御Ｉ／Ｆ２００は、２線式伝送路を用いて通信を行うようになっており、例えば、ＲＳ−２３２Ｃの通信形式に基づいて制御データの送受信を行うようになっている。
【００４３】
通信制御Ｉ／Ｆ２００は、図１に示すように、外部制御装置であるパーソナルコンピュータ５０、ＰＤＰ本体部１００およびビデオＩ／Ｆ３００と接続され、パーソナルコンピュータ５０、ＰＤＰ本体部１００およびビデオＩ／Ｆ３００間の通信制御を行う通信制御部２０２と、タイマ２０３と、通信制御時に用いられるＲＯＭ／ＲＡＭ２０４と、を備え、各部は、バス６０により接続されている。
【００４４】
通信制御部２０２は、外部に接続された外部制御装置、本実施形態においてはパーソナルコンピュータ５０と直接的に、またはインターネット、電話公衆網回線、ローカルエリアネットワークなどの通信回線を介して間接的に接続されているとともに、通信スロット部２０１を介してシステム制御部１１２と接続されており、ＰＤＰ本体部１００、または、パーソナルコンピュータ５０と通信を行うようになっている。
【００４５】
この通信制御部２０２は、パーソナルコンピュータ５０から送信された制御データを所定のデータ形式に変換してＰＤＰ本体部１００のシステム制御部１１２に出力するようになっている。
【００４６】
例えば、本実施形態では、通信制御部２０２は、パーソナルコンピュータ５０から送信された制御データを、ＲＳ−２３２Ｃの通信規格を有する制御データに変換するようになっており、当該変換された制御データをシステム制御部１１２に出力するようになっている。
【００４７】
また、本実施形態では、通信制御Ｉ／Ｆ２００とＰＤＰ本体部１００との通信に関しては、上述のようにＲＳ（Recommended Standard）−２３２Ｃの通信規格に基づいて、パーソナルコンピュータ５０と通信制御Ｉ／Ｆ２００との通信に関しては、ＵＳＢ（Universal Serial Bus）、イーサネット（Ethernet：ＩＥＥＥ（Institute of Electrical and Electronic Engineers）８０２．３／登録商標）、ＩＥＥＥ１３９４、および、ＣＯＭ（Component Object Model）に代表される通信規格に基づいて通信を行うようになっている。
【００４８】
なお、本実施形態では、パーソナルコンピュータ５０と通信制御Ｉ／Ｆ２００の通信規格は、当該通信制御Ｉ／Ｆ２００に依存するようになっている。したがって、パーソナルコンピュータ５０と、すなわち、外部制御装置と所望する通信規格により通信可能な通信制御Ｉ／Ｆ２００をＰＤＰ本体部１００に装着させることによって、上述した通信規格に限らず、光信号を用いた通信規格など様々な通信規格を用いることができるようになっている。
【００４９】
また、この通信制御部２０２には、ＰＤＰ本体部１００から出力されたユーザが操作した内容を示す操作指示信号が入力されるようになっており、この通信制御部２０２は、入力された操作指示信号に基づいてシステム制御部１１２を作動させるようになっている。
【００５０】
具体的には、通信制御部２０２は、システム制御部１１２に入力された操作指示信号を一旦受信し、当該操作指示信号を示す操作内容の可否を判断するようになっており、操作内容が制御可能な場合には、当該操作内容を示す制御データをシステム制御部１１２に出力するとともに、操作内容が制御不能の場合には、当該操作を行わないよう何れの指示もシステム制御部１１２に出力しないようになっている。
【００５１】
例えば、通信制御部２０２が、パーソナルコンピュータ５０の制御により、ＰＤＰ１０本体の電源が一定の時刻にＯＮおよびＯＦＦの制御が行われている場合には、操作入力部１１０およびシステム制御部１１２を介してユーザにより、ＰＤＰ本体部１００の電源のＯＮまたはＯＦＦを行う操作指示信号が入力されたとしても、当該操作内容を示す制御データをシステム制御部１１２に出力、すなわち、制御指示を行わないようになっている。
【００５２】
一方、通信制御部２０２は、ＰＤＰ本体部１００を介してビデオＩ／Ｆ３００と接続されるようになっており、ビデオＩ／Ｆ３００とパーソナルコンピュータ５０などの外部制御装置またはＰＤＰ本体部１００との通信制御を行うようになっている。
【００５３】
具体的には、通信制御部２０２は、ビデオＩ／Ｆ３００がシステム制御部１１２に対して制御データを送信する際に、または、ビデオＩ／Ｆ３００が外部制御装置であるパーソナルコンピュータ５０との通信を行う際に、ビデオＩ／Ｆ３００から出力された制御データまたはパーソナルコンピュータ５０から出力された制御データを含む通信データを受信するようになっており、受信された制御データまたは通信データを所定の通信形式に変換して、システム制御部１１２、ビデオＩ／Ｆ３００またはパーソナルコンピュータ５０にそれぞれ出力するようになっている。
【００５４】
タイマ２０３は、通信制御部２０２の時刻管理を行う際に用いられるようになっており、通信制御部２０２の指示に基づいて、その指示が入力された現在時刻を通信制御部２０２に出力するようになっている。
【００５５】
なお、通信制御Ｉ／Ｆ２００には、ハードディスクなどのデータ記録部２０５、テレビチューナ２０６などの各種のコンテンツデータを提供するための機器を有していてもよく、この場合に、それぞれのコンテンツデータを提供する際の制御データを通信制御部２０２を介して外部制御装置であるパーソナルコンピュータ５０、またはＰＤＰ本体部１００に出力するとともに、コンテンツデータを、通信制御部２０２を介してビデオＩ／Ｆ３００に出力するようになっている。
【００５６】
ビデオＩ／Ｆ３００は、入力されたコンテンツデータを制御するビデオ入力制御部３０２と、コンテンツデータの入力制御を行う際に用いられるＲＯＭ／ＲＡＭ３０３と、を備え、各部はバス６０により接続されている。
【００５７】
ビデオ入力制御部３０２には、外部から所定の形式を有するコンテンツデータが入力されるようになっており、このビデオ入力制御部３０２は、入力されたコンテンツデータをＰＤＰ本体部１００に出力するようになっている。
【００５８】
具体的には、ビデオ入力制御部３０２は、複数の入力端子を有し、ＲＧＢ入力、コンポジット入力、デジタル入力、および、Ｓ端子入力などの様々な形式の画像および音声の信号またはデータを受信するようになっており、内部に格納された制御プログラム、または、ＰＤＰ本体部１００からの指示に基づいて当該入力の切り換えを行うようになっている。
【００５９】
また、このビデオ入力制御部３０２は、入力される信号形式に適した画像処理を行うための制御データを通信制御Ｉ／Ｆ２００を介してＰＤＰ本体部１００に出力するとともに、コンテンツデータの切り換えに伴う当該ビデオ入力制御部３０２を制御するための制御プログラム、および、当該プログラムに伴う各種の設定を行うための制御データを、通信制御Ｉ／Ｆ２００を介してパーソナルコンピュータ５０に出力するようになっている。そして、このビデオ入力制御部３０２は、ＲＯＭ／ＲＡＭ３０３に静止画像データまたは動画像データなどの各種画像データを格納するために、および、当該ＲＯＭ／ＲＡＭ３０３に格納されている静止画像データまたは動画像データなどの各種画像データの入れ替えを行うために、各種画像データを通信データとして通信制御Ｉ／Ｆ２００を介して各種データをパーソナルコンピュータ５０と授受するようになっている。
【００６０】
例えば、このＲＯＭ／ＲＡＭ３０３に格納された画像データは、通信制御Ｉ／Ｆ２００に設けられたタイマ２０３と連動して、予め設定された時刻にＰＤＰ本体部１００に表示させるようになっている。このとき、ビデオ入力制御部３０２は、ＰＤＰ本体部１００に当該映像を表示させる旨、すなわち、入力を切り換える旨の制御データを送信するようになっている。
【００６１】
なお、このビデオ入力制御部３０２が制御プログラムに基づいてコンテンツデータの入力切換を行う場合など、当該ビデオ入力制御部３０２の制御を行う場合に、通信制御Ｉ／Ｆ２００におけるタイマ２０３、ＴＶチューナ２０５またはデータ記録部２０６を使用するようにしてもよい。
【００６２】
また、ビデオ入力制御部３０２において電源の供給が必要な場合には、ＰＤＰ本体部１００の電源ユニット１１１から電源の供給を受けることができるようになっている。
【００６３】
以上のように本実施形態によれば、ＰＤＰ１０は、コンテンツデータが入力されるビデオＩ／Ｆ３００と、入力されたコンテンツデータの画像処理を行う画像処理部１０２と、入力されたコンテンツデータに基づいて表示部１０３の駆動処理を行う表示信号生成部１０５と、表示信号生成部１０５を制御する駆動制御部１０４およびシステム制御部１１２と、当該ＰＤＰ本体部１００に着脱自在に装着され、表示信号生成部１０５を制御するための制御データを外部から取得する通信制御Ｉ／Ｆ２００と、を備え、通信制御Ｉ／Ｆ２００が、外部制御装置であるパーソナルコンピュータ５０より取得された制御データに基づいてシステム制御部１１２を作動させる通信制御部２０２を有し、当該システム制御部１１２を作動させることによって表示信号生成部１０５を制御する構成を有している。
【００６４】
この構成により、本実施形態のＰＤＰ１０は、当該ＰＤＰ本体部１００に着脱自在に装着される通信制御Ｉ／Ｆ２００によって、通信制御Ｉ／Ｆ２００によって取得された制御データに基づいてシステム制御部１１２を作動させるとともに、当該システム制御部１１２を作動させることによって表示信号生成部１０５を制御し、表示部１０３にコンテンツデータを出力する。
【００６５】
したがって、所望する通信形式によってＰＤＰ１０の外部制御を行うことを希望する場合に、通信制御Ｉ／Ｆ２００が着脱自在なので、所望する通信形式に準拠するものを容易に準備することができるとともに、通信制御Ｉ／Ｆ２００とＰＤＰ本体部１００との通信形式を予め設定すれば、外部制御装置であるパーソナルコンピュータ５０との通信形式を考慮することなく、かつ、ＰＤＰ本体部１００の構成を変更することなく、外部制御を行うことができる。
【００６６】
この結果、一般的な通信形式をはじめとする様々な通信形式によって外部制御を行うことができるとともに、様々な通信形式を用いることにより、通信形式により発生する制御上の不具合を想定する必要がなく、すなわち、所望する外部制御に適合する通信形式を選択させることによって、自由に制御範囲を拡張することができるので、ユーザに自由度を持たせることができ、拡張性に優れたＰＤＰ１０を提供することができる。
【００６７】
また、本実施形態のＰＤＰ１０は、制御データを取得する際に、当該ＰＤＰ本体部１００に着脱自在に装着される通信制御Ｉ／Ｆ２００によって、パーソナルコンピュータ５０と通信を行うので、パーソナルコンピュータ５０からの一方的な通信制御でなく、的確に通信制御Ｉ／Ｆ２００およびコンピュータ間の通信を行うことができる。
【００６８】
また、本実施形態のＰＤＰ１０は、制御データを取得するとともに、取得した制御データとは異なるデータ形式を有する制御データに当該制御データに変換し、変換された制御データをシステム制御部１１２に出力するので、通信制御Ｉ／Ｆ２００とＰＤＰ本体部１００との通信形式を予め設定すれば、外部制御装置であるパーソナルコンピュータ５０との通信形式を考慮することなく、かつ、ＰＤＰ本体部１００の構成を変更することなく、容易に外部制御を行うことができる。
【００６９】
また、本実施形態のＰＤＰ１０は、表示信号生成部１０５を操作するために用いられる操作入力部１１０を更に備えるとともに、通信制御Ｉ／Ｆ２００が、操作入力部１１０からの操作指示を受信し、受信された操作指示および外部から取得した制御データに基づいてシステム制御部１１２を作動させる構成を有している。
【００７０】
この構成により、本実施形態のＰＤＰ１０は、操作入力部１１０からの操作指示を受信し、受信された操作指示および外部から取得した制御データに基づいてシステム制御部１１２を作動させる。
【００７１】
したがって、通信制御Ｉ／Ｆ２００によってＰＤＰ本体部１００の制御を統括することができるので、外部制御により制御を行っている動作に関しては、ユーザが操作入力部１１０を操作することによって当該動作を指示したとしても、当該指示を無効にすることが可能になる。
【００７２】
また、本実施形態のＰＤＰ１０は、外部制御装置であるパーソナルコンピュータ５０により電源の供給を受ける電源ユニット１１１を有し、通信制御Ｉ／Ｆ２００が、当該ＰＤＰ本体部１００に装着された際に、ＰＤＰ本体部１００より電源の供給を受ける構成を有している。
【００７３】
この構成により、本実施形態のＰＤＰ１０は、通信制御Ｉ／Ｆ２００に電源が必要な場合に、ＰＤＰ本体部１００から電源が供給されるので、通信制御Ｉ／Ｆ２００に、ＣＰＵ、タイマ２０３、ＴＶチューナデータ記録部など電源が必要なハードウェアも搭載することが可能になる。
【００７４】
また、本実施形態のＰＤＰ１０は、通信制御Ｉ／Ｆ２００が装着された際に当該通信制御Ｉ／Ｆ２００の装着を認識するスロット認識部１０９を有し、システム制御部１１２が、スロット認識部１０９の認識結果に基づいて、外部より取得された制御データに基づくシステム制御部１１２の作動の可否を判断する構成を有している。
【００７５】
この構成により、本実施形態のＰＤＰ１０は、スロット認識部１０９の認識結果に基づいて、外部より取得された制御データに基づくシステム制御部１１２の作動の可否を判断するので、例えば、工場出荷時の検査に用いる制御を行うための通信制御Ｉ／Ｆ２００か否かを判断するようにすれば、それ以外の通信制御Ｉ／Ｆ２００が認識された場合には、工場出荷時の調整用の制御内容を禁止し、当該制御内容を指示する制御データが通信制御Ｉ／Ｆ２００から出力されたとしても、当該制御内容を実行させないようにすることができる。
【００７６】
また、本実施形態のＰＤＰ１０は、ビデオＩ／Ｆ３００が、当該駆動制御装置に着脱自在に装着されるとともに、当該ビデオＩ／Ｆ３００に入力されたコンテンツデータに基づいて制御データを生成するとともに、生成された制御データを通信制御部２０２に出力するビデオ入力制御部３０２を有し、通信制御部２０２が、生成ビデオ入力制御部３０２によって生成された制御データに基づいてシステム制御部１１２を作動させる構成を有している。
【００７７】
この構成により、本実施形態のＰＤＰ１０は、当該ビデオＩ／Ｆ３００に入力されたコンテンツデータに基づいて制御データを生成するとともに、生成された制御データに基づいてシステム制御部１１２を作動させる。
【００７８】
したがって、ビデオＩ／Ｆ３００によってＰＤＰ本体部１００を制御することができるので、コンテンツデータに基づく画像処理または音声処理などの各種のコンテンツデータを表示または出力する上で必要な各種の処理を当該コンテンツデータに基づいて行うことができる。
【００７９】
また、本実施形態のＰＤＰ１０は、ビデオＩ／Ｆ３００が、入力されたコンテンツデータに基づいて表示パネルを駆動するための制御データの送受信を、通信制御Ｉ／Ｆ２００を介して外部と実行する構成を有している。
【００８０】
この構成により、本実施形態のＰＤＰ１０は、ビデオＩ／Ｆ３００が外部制御装置であるパーソナルコンピュータ５０と通信を行うので、コンテンツデータの入力段階における処理および制御を、ＰＤＰ本体部１００を介することなく行うことができる。
【００８１】
また、本実施形態のＰＤＰ１０は、ビデオＩ／Ｆ３００に入力されるコンテンツデータが音声データを含む場合に、入力されたコンテンツデータの音声データに音声処理を行う音声処理部１０７を有し、システム制御部１１２が音声処理部１０７を制御するとともに、通信制御Ｉ／Ｆが、音声処理部１０７を制御するための制御データを外部から取得する構成を有している。
【００８２】
この構成により、本実施形態のＰＤＰ１０は、音声処理部１０７を制御するための制御データを外部から取得するので、コンテンツデータに含まれる画像データだけでなく、音声データについても、一般的な通信形式をはじめとする様々な通信形式によって外部制御を行うことができるとともに、様々な通信形式を用いることにより、通信形式により発生する制御上の不具合を想定する必要がなく、自由に制御範囲を拡張することができる。
【００８３】
なお、本実施形態では、表示パネルとして放電型のＰＤＰ１０を用いて説明しているが、これに限らず、ＣＲＴまたは液晶型ディスプレイについても適用することが可能である。
【００８４】
また、本実施形態では、通信制御Ｉ／Ｆ２００がＰＤＰ１０本体に接続されている場合に、操作指示信号がシステム制御部１１２を介して通信制御Ｉ／Ｆ２００に出力されるようになっているが、システム制御部１１２を介さず、操作入力部１１０から直接に通信制御Ｉ／Ｆ２００に出力するようにしてもよい。
【００８５】
また、本実施形態では、外部制御装置としてパーソナルコンピュータ５０を用いるようになっているが、これに限らず、携帯端末装置や専用の通信制御装置などの通信端末装置を用いても可能である。
【００８６】
また、本実施形態では、通信制御部２０２Ｉ／ＦがＰＤＰ本体部１００に接続されている場合に、操作入力部１１０を介して入力されたユーザの指示内容を示す操作指示信号が通信制御Ｉ／Ｆ２００にシステム制御部１１２を介して入力され、通信制御部２０２Ｉ／Ｆの指示に基づいてシステム制御部１１２が各部を制御するようになっているが、一部の制御に係る操作指示信号については、通信制御部２０２Ｉ／Ｆを介さず、システム制御部１１２が各部を直接制御するようにしてもよい。
【００８７】
また、本実施形態では、ビデオＩ／Ｆ３００は、ＰＤＰ本体部１００を介して通信制御Ｉ／Ｆ２００と接続されるようになっているが、これに限らず、通信制御部２０２Ｉ／Ｆと直接接続するようにしてもよい。
【００８８】
また、本実施形態において、通信制御Ｉ／Ｆ２００の設定を行う専用の部材によって、予めＲＯＭ／ＲＡＭ２０４にスケジュールデータを予め格納させ、ＰＤＰ本体部１００に当該通信制御Ｉ／Ｆ２００を装着すると、タイマ２０３による現在時刻と当該スケジュールデータに基づいてシステム制御部１１２を作動させることも可能である。
【００８９】
また、本実施形態では、ビデオＩ／Ｆ３００には画像データが入力されるようになっているが、テレビゲームの操作装置などポインティングデバイス用の入力端子を設け、テレビゲームの映像に伴ってＰＤＰ本体１００に当該ポインティングデバイスによる画面表示を行うようにしてもよい。
【図面の簡単な説明】
【００９０】
【図１】本願に係る一実施形態におけるＰＤＰのシステム構成を示すブロック図である。
【図２】一実施形態のＰＤＰ本体部に装着される通信制御インターフェースおよびビデオインターフェースの形状を説明するための図である。
【符号の説明】
【００９１】
１０  …  ＰＤＰ
５０  …  パーソナルコンピュータ
１００  …  ＰＤＰ本体部
１０１  …  入力処理部
１０２  …  画像処理部
１０３  …  表示部
１０４  …  駆動制御部
１０５  …  表示信号生成部
１０６  …  フレームメモリ
１０７  …  音声処理部
１０８  …  スピーカ
１０９  …  スロット認識部
１１０  …  操作入力部
１１１  …  電源ユニット
１１２  …  システム制御部
２００  …  通信制御Ｉ／Ｆ
２０１  …  通信スロット部
２０２  …  通信制御部
２０３  …  タイマ
２０４  …  ＲＯＭ／ＲＡＭ
３００  …  ビデオＩ／Ｆ
３０１  …  ビデオスロット部
３０２  …ビデオ入力制御部
３０３  …  ＲＯＭ／ＲＡＭ
【図１】
2005195729.tif 000003
【図２】
2005195729.tif 000004